(57)【要約】  節水洗濯機の排水構造および洗濯機において、洗濯機の内槽（２９）底部に中心孔（１）が設けられ、前記中心孔（１）の周囲に環状溝（２）が設けられる。環状溝（２）に内槽（２９）内部および内槽（２９）外部を連通する水流通路が設けられ、前記環状溝（２）内に、往復運動して水流通路の導通、遮断を制御することができる密封部材（３）が設けられる。密封部材（３）の上部に、密封部材（３）を下に運動させて、内槽底（７）および／または環状溝（２）の底面にぴったりとくっつくように制御する弾性部材（４）が設けられ、密封部材（３）の下部に、密封部材（３）を上に運動させて、内槽底（７）および／または環状溝（２）の底面から離脱するように制御する駆動部材（５）が設けられる。密封部材（３）の往復運動を制御すれば、排水の制御を実現することができ、制御は簡単である。前記密封部材（３）は内槽底（７）の環状溝（２）内に設置され、内槽（２９）と回転方向に相対して固定され、密封部材（３）の摩耗は小さく、信頼性は高い。内槽（２９）の定位の精度に対する要求は低下し、内槽（２９）の定位構造および制御プログラムを簡略化した。前記密封はいずれも端面の接触による密封であり、密封は信頼できる。【選択図】図１
2018532504.tif 000002
【特許請求の範囲】
【請求項１】
洗濯機の内槽底部に中心孔が設けられ、前記中心孔の周囲に環状溝が設けられ、環状溝に、内槽内部および内槽外部を連通する水流通路が設けられ、前記環状溝内に、往復運動して水流通路の導通、遮断を制御することができる密封部材が設けられることを特徴とする、節水洗濯機の排水構造。
【請求項２】
前記密封部材の上部に、密封部材を下に運動させて、内槽底および／または環状溝の底面にぴったりとくっつくように制御する弾性部材が設けられ、前記密封部材の下部に、密封部材を上に運動させて、内槽底および／または環状溝の底面から離脱するように制御する駆動部材が設けられることを特徴とする、請求項１に記載の節水洗濯機の排水構造。
【請求項３】
前記密封部材外周における上部の直径は下部の直径より大きく、密封部材外周の直径が突然変化する部分が第１段差を形成し、前記密封部材の下部は環状溝内に位置し、閉鎖状態は、前記第１段差が内槽底にぴったりとくっつき、密封部材底部の端面が前記環状溝の底面にぴったりとくっつき、開放状態は、前記第１段差が内槽底から離脱し、密封部材底部の端面が前記環状溝の底面から離脱することを特徴とする、請求項１または２に記載の節水洗濯機の排水構造。
【請求項４】
前記環状溝内の２つの側面における、内槽の中心に近い側面は第１側面であり、内槽の中心から離れた側面は第２側面であり、密封部材下部の外周および前記第２側面の間、ならびに／または密封部材下部の内周および第１側面の間に一定の距離を有し、環状間隙が形成されることを特徴とする、請求項１〜３のいずれか１項に記載の節水洗濯機の排水構造。
【請求項５】
前記環状溝内の２つの側面における、内槽の中心に近い側面は第１側面であり、内槽の中心から離れた側面は第２側面であり、前記第２側面は下から上に向かって外側に傾斜し、密封部材下部の外周は下から上に向かって外側に傾斜し、前記第２側面および水平面の夾角は、密封部材下部の外周および水平面の夾角より大きいことを特徴とする、請求項１〜４のいずれか１項に記載の節水洗濯機の排水構造。
【請求項６】
前記水流通路は、環状溝の底面に設けられる少なくとも１つのノッチであり、
好ましくは、前記水流通路は、環状溝の底面および／または前記環状溝における中心孔から離れた側壁に設置される複数の出水口をさらに含むことを特徴とする、請求項１〜５のいずれか１項に記載の節水洗濯機の排水構造。
【請求項７】
前記駆動部材の少なくとも一部が前記ノッチに挿入されて前記密封部材を駆動し、前記駆動部材はてこと、てこの支点と、てこの駆動部とを含み、前記てこの支点は外槽内の底部に設置され、てこの中部が支点とヒンジ連結され、てこの一端は密封部材の下方に位置する前記ノッチに挿入され、てこのもう一端は駆動部と接続され、
好ましくは、前記駆動部は牽引モータと、牽引ロープと、牽引ロープの定位ブロックとを含み、前記牽引モータは外槽の外側側壁の下部に設置され、前記牽引ロープは牽引モータおよびてこと接続され、前記定位ブロックは外槽内壁のフック状の突起であることを特徴とする、請求項６に記載の節水洗濯機の排水構造。
【請求項８】
前記密封部材の上部または内部に弾性部材の第１取付部が設けられ、前記環状溝における内槽の中心に近い側壁の上部に、弾性部材の第２取付部が設けられ、
好ましくは、前記密封部材の内部に第２段差が設けられ、前記第２段差は弾性部材の第１取付部であり、
好ましくは、前記環状溝における内槽の中心に近い側壁は内槽の中心孔を取り囲み、前記中心孔内に内槽軸が設置され、内槽軸は、環状溝における内槽の中心に近い側壁と固定具により接続され、環状溝における内槽の中心に近い側壁の外周から突出した、前記固定具の部分が、弾性部材の第２取付部を形成することを特徴とする、請求項１〜７のいずれか１項に記載の節水洗濯機の排水構造。
【請求項９】
前記密封部材の長さは、前記環状溝における内槽の中心に近い側壁の長さより長いか、または等しく、前記第２段差部分の直径は前記第２取付部の外径よりやや大きいか、または前記密封部材内部に第３段差が設けられ、前記第３段差部分の直径は前記第２段差部分の直径より大きく、前記第３段差部分の直径は前記第２取付部の外径よりやや大きいことを特徴とする、請求項８に記載の節水洗濯機の排水構造。
【請求項１０】
請求項１〜９のいずれか１項に記載の排水構造を有する洗濯機。
【発明の詳細な説明】
【技術分野】
【０００１】
本発明は洗濯機の分野に関し、特に節水洗濯機の排水構造および洗濯機である。
【背景技術】
【０００２】
周知のように、パルセータ洗濯機は、洗濯時間が短い、洗浄度が高い、途中で衣類を追加するのが便利であるなどの利点を有する。しかし、その水使用量は相対して比較的多く、一般的な８Ｋｇのパルセータ洗濯機は、標準的なプログラムで洗浄を１回、すすぎを２回行うと、水の消費量が約１８０Ｌ前後であり、水の消費量が多い。さらに内外槽間は洗浄しにくく、容易に細菌が繁殖する。
【０００３】
上記問題を解決するため、内槽に孔を有さない構造が開発された。洗濯時、内槽および外槽の間に水は無いが、内槽内の水の排出が問題となっている。そこで、内槽の上部に排水孔を１周に設置し、内槽中のすべての水を内槽の回転による遠心力で、上部の排水孔から排出するものがある。このような設計は、一方では排水が比較的遅く、もう一方では水中の泥、砂などの汚れを排出するのが難しい。さらに、内槽のちょうど下方に水受け空洞を設置する設計がある。水受け空洞は内槽と通じ、水受け空洞の上縁および内槽の下縁は密封される。水受け空洞の下部に排水孔を設置し、排水孔の開閉を制御することにより、排水の制御を実現する。しかし、脱水時、内槽は高速回転するが、水受け空洞は固定されて回転しないため、両者の間の密封は容易に実現しない。たとえ容易に実現しても、長期的な高速回転により摩耗も生じやすくなる。さらに、内槽底部に排水孔を設置する設計がある。洗濯時、内槽を定位した後、排水弁で内槽底部の排水孔を閉じ、排水時、排水弁は排水孔を開くように制御される。このような構造は内槽の定位構造を設置する必要もあり、定位の精度に対する要求は高く、構造は複雑である。さらに、洗濯時、内槽は回転することができず、ダブルドライブ洗濯を実現することができない。
【０００４】
このことを考慮して、本発明を示す。
【発明の概要】
【発明が解決しようとする課題】
【０００５】
本発明の目的は、既存技術の不足を克服することであり、構造が簡単で、信頼性が高い、節水洗濯機の排水構造および洗濯機を提供する。
【課題を解決するための手段】
【０００６】
該目的を実現するため、本発明は次の技術案を採用する。節水洗濯機の排水構造は、洗濯機の内槽底部に中心孔が設けられ、前記中心孔の周囲に環状溝が設けられる。環状溝に内槽内部および内槽外部を連通する水流通路が設けられ、前記環状溝内に、往復運動して水流通路の導通、遮断を制御することができる密封部材が設けられる。
【０００７】
前記密封部材の上部に、密封部材を下に運動させて、内槽底および／または環状溝の底面にぴったりとくっつくように制御する弾性部材が設けられ、前記密封部材の下部に、密封部材を上に運動させて、内槽底および／または環状溝の底面から離脱するように制御する駆動部材が設けられる。
【０００８】
前記密封部材外周における上部の直径は下部の直径より大きく、密封部材外周の直径が突然変化する部分が第１段差を形成し、前記密封部材の下部は環状溝内に位置する。閉鎖状態は、前記第１段差が内槽底にぴったりとくっつき、密封部材底部の端面が前記環状溝の底面にぴったりとくっつく。開放状態は、前記第１段差が内槽底から離脱し、密封部材底部の端面が前記環状溝の底面から離脱する。
【０００９】
環状溝内の２つの側面における、内槽の中心に近い側面は第１側面であり、内槽の中心から離れた側面は第２側面である。密封部材下部の外周および第２側面の間、ならびに／または密封部材下部の内周および第１側面の間に一定の距離を有し、環状間隙が形成される。
【００１０】
前記環状溝内の２つの側面における、内槽の中心に近い側面は第１側面であり、内槽の中心から離れた側面は第２側面である。前記第２側面は下から上に向かって外側に傾斜し、密封部材下部の外周は下から上に向かって外側に傾斜する。前記第２側面および水平面の夾角は、密封部材下部の外周および水平面の夾角より大きい。
【００１１】
前記水流通路は、環状溝の底面に設けられる少なくとも１つのノッチである。
好ましくは、前記水流通路は、環状溝の底面および／または前記環状溝における中心孔から離れた側壁に設置される複数の出水口をさらに含む。
【００１２】
前記駆動部材の少なくとも一部が前記ノッチに挿入されて、前記密封部材を駆動する。前記駆動部材はてこと、てこの支点と、てこの駆動部とを含み、前記てこの支点は外槽内の底部に設置され、てこの中部が支点とヒンジ連結される。てこの一端は密封部材の下方に位置する前記ノッチに挿入され、てこのもう一端は駆動部と接続される。
好ましくは、前記駆動部は牽引モータと、牽引ロープと、牽引ロープの定位ブロックとを含み、前記牽引モータは外槽の外側側壁の下部に設置される。前記牽引ロープは牽引モータおよびてこと接続され、前記定位ブロックは外槽内壁のフック状の突起である。
【００１３】
前記密封部材の上部または内部に弾性部材の第１取付部が設けられ、前記環状溝における内槽の中心に近い側壁の上部に、弾性部材の第２取付部が設けられる。
好ましくは、前記密封部材の内部に第２段差が設けられ、前記第２段差は弾性部材の第１取付部である。
好ましくは、前記環状溝における内槽の中心に近い側壁は内槽の中心孔を取り囲む。前記中心孔内に内槽軸が設置され、内槽軸は、環状溝における内槽の中心に近い側壁と固定具により接続される。環状溝における内槽の中心に近い側壁の外周から突出した、前記固定具の部分が、弾性部材の第２取付部を形成する。
【００１４】
前記密封部材の長さは、前記環状溝における内槽の中心に近い側壁の長さより長いか、または等しく、前記第２段差部分の直径は前記第２取付部の外径よりやや大きい。または前記密封部材の内部に第３段差が設けられ、前記第３段差部分の直径は前記第２段差部分の直径より大きく、前記第３段差部分の直径は前記第２取付部の外径よりやや大きい。
【００１５】
上記排水構造を有する洗濯機である。
【発明の効果】
【００１６】
本発明の前記技術案を採用すると、次の有益な効果がもたらされる。本発明の前記排水構造を使用すると、密封部材の往復運動を制御すれば、排水の制御を実現することができ、制御が簡単である。前記密封部材は内槽底の環状溝内に設置され、内槽と回転方向に相対して固定され、密封部材の摩耗は小さく、信頼性は高い。内槽の定位の精度に対する要求は低下し、内槽の定位構造および制御プログラムを簡略化した。前記密封はいずれも端面の接触による密封であり、密封は信頼できる。
【００１７】
以下、図を組み合わせて、本発明を実施するための形態について、さらに詳細に説明する。
【図面の簡単な説明】
【００１８】
【図１】図１は、本発明の前記節水洗濯機の構造図である。
【図２】図２は、本発明の前記節水洗濯機（筐体を除く）の構造図である。
【図３】図３は、本発明の実施例１における閉鎖状態の構造図である。
【図４】図４は、本発明の実施例１における開放状態の構造図である。
【図５】図５は、本発明の実施例３における閉鎖状態の構造図である。
【図６】図６は、本発明の実施例３における開放状態の構造図である。
【図７】図７は、本発明の実施例４における閉鎖状態の構造図である。
【図８】図８は、本発明の実施例４における開放状態の構造図である。
【発明を実施するための形態】
【００１９】
図１、図２に示すように、本発明の前記節水洗濯機の排水構造は、洗濯機の内槽底部に中心孔１が設けられ、前記中心孔１の周囲に環状溝２が設けられる。環状溝２に内槽内部および内槽外部を連通する水流通路が設けられ、前記環状溝２内に、往復運動して水流通路の導通、遮断を制御することができる密封部材３が設けられる。洗濯時、前記密封部材３はある位置まで運動して、水流通路を遮断し、洗濯水は内槽中にのみ存在する。排水時、前記密封部材３が別の位置まで運動して、水流通路が開き、洗濯水は水流通路、外槽を通過して排出される。密封部材３の往復運動を制御すれば、排水の制御を実現することができ、制御は簡単である。前記密封部材３は内槽底７の環状溝２内に設置され、内槽と回転方向に相対して固定され、密封部材の摩耗は小さく、信頼性が高い。
【００２０】
密封部材３の上部に、密封部材３を下に運動させて、内槽底および／または環状溝の底面にぴったりとくっつくように制御する弾性部材４が設けられ、弾性部材４が圧縮状態であると、弾性部材４の復元力により密封部材３を押し出して、流水通路を密封する状態にする。前記密封部材３の下部に、密封部材を上に運動させて、内槽底および／または環状溝の底面から離脱するように制御する駆動部材５が設けられ、前記駆動部材５は牽引モータ１７の牽引駆動下で、密封部材３を上に駆動する。上への駆動力は弾性部材４の復元力より大きく、密封部材３を上に運動させて、内槽底７および／または環状溝の底面から離脱させ、流水通路を開き、内槽中の水を排出する。自然状態では、弾性部材４の復元力が密封部材３を押し出して、流水通路を密封する状態にし、排水時には、駆動部材が密封部材を上に運動させて、内槽底および／または環状溝から離脱するように制御し、流水通路を開き、排水を実現する。
【００２１】
密封部材３外周における上部の直径は下部の直径より大きく、密封部材外周の直径が突然変化する部分が第１段差６を形成する。閉鎖状態は、前記第１段差６が内槽底７にぴったりとくっつき、環状の端面の接触による密封を形成し、密封部材３底部の端面が前記環状溝の底面にぴったりとくっつき、環状の端面の接触による密封を形成する。開放状態は、前記第１段差６が内槽底７から離脱し、密封部材底部の端面が前記環状溝の底面から離脱する。密封状態は、前記密封部材３が前記内槽底７にぴったりとくっつき、密封部材３底部の端面および前記環状溝の底面がいずれも環状の端面で、接触して密封し、密封は信頼できる。前記密封部材は環状スリーブ構造であり、前記密封部材外周の上部に、外側に突起する１周のボスが設けられる。閉鎖状態は、前記ボスの下表面が内槽底にぴったりとくっつき、密封を形成し、密封部材の下部は内槽底の環状溝内に嵌入される。閉鎖状態は、前記密封部材の底部が前記環状溝の底面にぴったりとくっつき、環状の端面の接触による密封を形成し、さらに密封効果を保証する。
【００２２】
密封部材３の上部または内部に弾性部材４の第１取付部が設けられ、前記環状溝２における内槽の中心に近い側壁の上部に、弾性部材４の第２取付部が設けられる。前記弾性部材４の一端は第２取付部に固定され、第２取付部は固定構造であり、弾性部材４のこの一端の運動を阻止する。前記弾性部材４のもう一端は第１取付部に固定され、密封部材の運動に伴って運動する。
【００２３】
好ましくは、前記密封部材３の内部に第２段差２１が設けられ、前記第２段差２１は弾性部材３の第１取付部である。前記弾性部材４は前記密封部材３の内部に位置し、取付空間を節約することができ、パルセータにより多くの取付空間を残し、内槽容積が小さくなることはない。前記第２取付部は、環状溝における内槽の中心に近い側壁に固定される１つのバッフルプレートである。好ましくは、前記環状溝における内槽の中心に近い側壁は、内槽の中心孔１を取り囲む。前記中心孔内に内槽軸が設置され、内槽軸は、環状溝における内槽の中心に近い側壁と固定具２０により接続される。環状溝における内槽の中心に近い側壁の外周から突出した、前記固定具２０の部分が、弾性部材の第２取付部を形成する。前記固定具２０は、内槽軸および内槽を接続する作用も、弾性部材を取り付ける作用も発揮し、既存の部品を充分に利用することができ、部品の数量を減少させる。前記環状溝２における内槽の中心に近い側壁は、内槽底７の高さより高く、密封部材３が往復運動する空間を提供する。
【００２４】
環状溝の底面に少なくとも１つのノッチ１２が設けられ、前記駆動部材は前記ノッチ１２を通って前記密封部材３を駆動し、前記水流通路は前記ノッチ１２である。さらに排水速度を高めるため、環状溝の底面または中心孔から離れた側壁に、さらに複数の出水口１３が均等に分布する。前記ノッチは、環状溝の底面と、環状溝における内槽の中心から離れた側壁とがつながる部分の切れ込みにより形成される。環状溝の底面の切れ込みは、てこが密封部材の下方に伸びることができることを保証することができ、環状溝における内槽の中心から離れた側壁の切れ込みは、てこが密封部材３を動かして、上に一定距離移動させることができることを保証することができる。
【００２５】
排水する必要があるたびに、ノッチ１２およびてこ１４が対応するように内槽を定位した後、排水を制御する。ノッチは円周方向に一定の幅を有し、前記てこの直径よりはるかに大きいため、内槽の定位の精度に対する要求は高くない。てこがノッチ１２の範囲内にあれば、排水の制御を実現することができ、したがって定位の制御構造およびプログラムを簡略化した。
【００２６】
前記駆動部材はてこ１４と、てこ１４の支点１５と、てこの駆動部１６とを含み、前記てこ１４の支点１５は外槽内の底部に設置され、てこ１４の中部が支点１５とヒンジ連結される。てこ１４の一端は密封部材３の下方に位置する前記ノッチ１２を通り、てこ１４のもう一端は駆動部１６と接続される。好ましくは、前記駆動部１６は、牽引モータ１７と、牽引ロープ１８と、牽引ロープ１８の定位ブロック１９とを含み、前記牽引モータ１７は外槽の外側側壁の下部に設置される。内槽底部の空間の占用を防止することができ、内槽により多くの取付空間を残す。前記牽引ロープ１８は牽引モータ１７およびてこ１４と接続され、前記定位ブロック１９は外槽内壁のフック状の突起である。前記フック状の突起は、牽引ロープを外槽の内壁に沿って定位し、内槽の回転が干渉されるのを防止する。
【００２７】
好ましくは、前記環状溝の底面に２つまたは複数のノッチ１２が均等に設けられる。てこ１４の端部に分岐が設けられ、それぞれ各ノッチ１２部分に伸びて密封部材を駆動する。１つの牽引モータは１つのてこを駆動し、１つのてこの端部における複数の分岐は、密封部材の複数部位を均等に駆動する。
【００２８】
環状溝２内の２つの側面における、内槽の中心に近い側面は第１側面８であり、内槽の中心から離れた側面は第２側面９である。密封部材３の環状溝２内に挿入される部分は、前記第２側面９または第１側面８と一定の距離を有し、環状間隙が形成される。水流は環状間隙を通過して環状溝２に進入し、さらに水流通路を通過して排出される。
【実施例】
【００２９】
実施例１
図３、図４に示すように、本実施例において、第２側面９は、密封部材３下部の外周との間に一定の距離を有し、第２側面９および密封部材下部の外周間に第１環状間隙１０が形成され、第１側面８および密封部材下部の内周が接触して密封される。前記密封部材を上に運動させて、内槽底および／または環状溝の底面から離脱すると、水流は第１環状間隙１０を通過して環状溝２に進入し、さらに水流通路を通過して排出される。
【００３０】
実施例２
本実施例において、第１側面８は、密封部材下部の内周との間に一定の距離を有し、第１側面８および密封部材下部の内周間に第２環状間隙１１が形成され、第２側面９および密封部材下部の外周が接触して密封される。前記密封部材３を上に運動させて、内槽底および／または環状溝の底面から離脱すると、水流は第２環状間隙１１を通過して環状溝に進入し、さらに水流通路を通過して排出される。
【００３１】
実施例３
図５、図６に示すように、本実施例において、第２側面９は、密封部材下部の外周との間に一定の距離を有し、第２側面９および密封部材下部の外周間に第１環状間隙１０が形成される。前記第１側面８は、密封部材下部の内周との間に一定の距離を有し、第１側面８および密封部材下部の内周間に第２環状間隙１１が形成される。前記密封部材を上に運動させて、内槽底および／または環状溝の底面から離脱すると、水流は第１環状間隙１０および第２環状間隙１１を通過して環状溝２に進入し、さらに水流通路を通過して排出される。２つの環状間隙を設けて、排水速度を速めることができる。密封部材および環状溝内の２つの側面がいずれも間隙を有するため、密封部材は周方向に定位する必要がある。密封部材の長さは、前記環状溝における内槽の中心に近い側壁の長さより長いか、または等しく、前記第２段差２１部分の直径は前記第２取付部の外径よりやや長い。または前記密封部材の内部に第３段差２３が設けられ、前記第３段差２３部分の直径は前記第２段差２１部分の直径より大きく、前記第３段差２３部分の直径は前記第２取付部の外径よりやや大きい。第２取付部を使用して密封部材内部と接触し、密封部材を周方向に定位する。
【００３２】
実施例４
図７、図８に示すように、本実施例において、第２側面９は下から上に向かって外側に傾斜し、密封部材３下部の外周は下から上に向かって外側に傾斜する。前記第２側面９および水平面の夾角ａは、密封部材下部の外周および水平面の夾角ｂより大きく、第１側面８および密封部材下部の内周が接触して密封される。すなわち密封部材３外周の下部に勾配が設けられ、環状溝の第２側面に勾配が設けられ、第２側面の勾配は密封部材外周の下部の勾配より大きい。勾配の設置により、密封部材が下に移動するのに、良好なガイド作用を有する。
【００３３】
実施例５
本実施例において、上記排水構造を有する洗濯機は、筐体２４、操作パネル台２５、上蓋２６、脚２７、外槽２８、内槽２９を含む。外槽２８は洗濯機の排水時、一部の洗濯水を一時的に溜めるのに用いるのに過ぎず、その下部に排水管３１と接続され、洗濯水またはすすぎ水を洗濯機の外部に排出する排水口３０が設置される。外槽２８底部の中心に、軸受および密封装置が設置される孔を有し、内槽軸３３はここから通過し、両端はそれぞれ伝動モータおよび内槽と接続される。さらにはモータが内槽を回転させることにより、衣類を洗濯する、または衣類を高速脱水することができる。内槽２９上部に排水孔３２が１周に設けられ、内槽の取水が過度に多い場合、この排水孔３２を通って外槽に溢れ、洗濯機外部に流出する。湿った衣類を高速脱水するとき、水流が上昇し、この排水孔３２を通って外槽に流れ、洗濯機外部に流出することができる。
【００３４】
内槽２９の中部、下部に漏水孔が無いことを保証する。密封部材における弾性部材の復元力の作用下で、密封部材の第１段差が内槽底部にぴったりとくっつき、密封部材の底部が環状溝の底面にぴったりとくっつき、内槽底部は密封される。洗濯が開始し、取水弁が開くと、水道水が内槽に進入し、取水が完了すると、内槽が回転し、衣類を洗濯する。排水する必要があるとき、牽引モータが牽引ロープを牽引し、牽引ロープがてこを牽引し、てこが密封部材を上に駆動させて、密封部材が上に移動する。密封部材の第１段差が内槽底部から離脱し、密封部材の底部が環状溝の底面から離脱し、水流は環状間隙を経過して環状溝に進入し、さらに水流通路を経過して内槽から排出される。排水が終了すると、牽引モータの電源が切れ、密封部材は弾性部材の復元力により下に移動する。密封部材の第１段差が内槽底部にぴったりとくっつき、密封部材の底部が環状溝の底面にぴったりとくっつき、内槽底部は密封される。
【００３５】
以上の記載は、本発明の好ましい実施方式に過ぎない。当業者は本発明の原理を逸脱しない前提で、数種の変形および改良を行うこともできるが、これも本発明の保護範囲と見なすべきであると指摘しなければならない。
【符号の説明】
【００３６】
１  中心孔
２  環状溝
３  密封部材
４  弾性部材
５  駆動部材
６  第１段差
７  内槽底
８  第１側面
９  第２側面
１０  第１環状間隙
１１  第２環状間隙
１２  ノッチ
１３  出水口
１４  てこ
１５  支点
１６  駆動部
１７  牽引モータ
１８  牽引ロープ
１９  定位ブロック
２０  固定具
２１  第２段差
２３  第３段差
２４  筐体
２５  操作パネル台
２６  上蓋
２７  脚
２８  外槽
２９  内槽
３０  排水口
３１  排水管
３２  排水孔
３３  内槽軸
【図１】
2018532504.tif 000003
【図２】
2018532504.tif 000004
【図３】
2018532504.tif 000005
【図４】
2018532504.tif 000006
【図５】
2018532504.tif 000007
【図６】
2018532504.tif 000008
【図７】
2018532504.tif 000009
【図８】
2018532504.tif 000010
【国際調査報告】
2018532504.tif 000011
2018532504.tif 000012
2018532504.tif 000013
2018532504.tif 000014
2018532504.tif 000015
2018532504.tif 000016